(57)【要約】    【課題】  ３チャネル（３色）用のＡ／Ｄ変換回路の構成の増大を招くこと無く、４チャネル（４色）分の画像データの読み取りを行うことを可能にする。    【解決手段】  入力した光信号を４色に分解してそれぞれアナログ電気信号として出力可能な光電変換素子４０１ａ〜４０１ｄと、３つアナログ電気信号をそれぞれデジタル信号に同時に変換することが可能なＡ／Ｄ変換回路４０７とを備えた画像読取装置において、１主走査ラインの画像読み取りごとに光電変換素子４０１ａ〜４０１ｄから３以下のアナログ電気信号を選択するとともに、隣接する２つの主走査ラインの画像読み取りにおいて異なるアナログ電気信号を選択し、この選択されたアナログ電気信号をＡ／Ｄ変換回路４０７へ出力する。【選択図】      図２
2006067554.tif 000002
【特許請求の範囲】
【請求項１】
入力した画像を表す光信号を、所定数を越える数の複数色に分解してそれぞれアナログ電気信号として出力可能な光電変換手段と、
前記所定数の互いに異なるアナログ電気信号をそれぞれデジタル信号に同時に変換することが可能なアナログ／デジタル変換手段と、
１主走査ラインの画像読み取りごとに前記光電変換手段から前記所定数以下のアナログ電気信号を選択するとともに、連続する複数の主走査ラインの画像読み取りにおいて異なるアナログ電気信号を選択し、前記アナログ／デジタル変換手段へ出力する選択手段と
を有することを特徴とする画像読取装置。
【請求項２】
前記光電変換手段に入力される光信号は、光を照射された原稿用紙からの反射光、または光を照射された原稿フィルムからの透過光であることを特徴とする請求項１記載の画像読取装置。
【請求項３】
前記光電変換手段は、入力した光信号を４色に分解してそれぞれアナログ電気信号として出力可能であり、
前記アナログ／デジタル変換手段は、３つのアナログ電気信号をそれぞれデジタル信号に同時に変換することが可能であることを特徴とする請求項１記載の画像読取装置。
【請求項４】
前記選択手段は、第１の主走査ラインの画像読み取りにおいて前記光電変換手段から第１色及び第２色のアナログ電気信号を選択し、前記第１の主走査ラインに隣接する第２の主走査ラインの画像読み取りにおいて前記光電変換手段から第３色及び第４色のアナログ電気信号を選択することを特徴とする請求項３記載の画像読取装置。
【請求項５】
前記選択手段は、第１の主走査ラインの画像読み取りにおいて前記光電変換手段から第１色のアナログ電気信号を選択し、前記第１の主走査ラインに隣接する第２の主走査ラインの画像読み取りにおいて前記光電変換手段から第２色、第３色及び第４色のアナログ電気信号を選択することを特徴とする請求項３記載の画像読取装置。
【請求項６】
前記光電変換手段に入力される光信号は、光を照射された原稿フィルムからの透過光であり、
前記光電変換手段は、前記４色にそれぞれ対応した４つの単色光電変換手段を含み、
前記４つの単色光電変換手段は各々、互いに異なる所定の蓄積時間に亘って入力光信号に対応する電荷を蓄積することを特徴とする請求項３記載の画像読取装置。
【請求項７】
前記選択手段は、第１の主走査ラインの画像読み取りにおいて、前記４つの単色光電変換手段のうち、前記所定の蓄積時間が第１番及び第２番に短い単色光電変換手段からのアナログ電気信号を選択し、前記第１の主走査ラインに隣接する第２の主走査ラインの画像読み取りにおいて、前記４つの単色光電変換手段のうち、前記選択された２つの単色光電変換手段以外の単色光電変換手段からのアナログ電気信号を選択することを特徴とする請求項６記載の画像読取装置。
【請求項８】
前記選択手段は、第１の主走査ラインの画像読み取りにおいて、前記４つの単色光電変換手段のうち、前記所定の蓄積時間が最短の単色光電変換手段からのアナログ電気信号を選択し、前記第１の主走査ラインに隣接する第２の主走査ラインの画像読み取りにおいて、前記４つの単色光電変換手段のうち、前記選択された単色光電変換手段以外の単色光電変換手段からのアナログ電気信号を選択することを特徴とする請求項６記載の画像読取装置。
【請求項９】
入力した画像を表す光信号を、４つの色に分解してそれぞれアナログ電気信号として出力可能な光電変換手段と、
３つの互いに異なるアナログ電気信号をそれぞれデジタル信号に同時に変換することが可能なアナログ／デジタル変換手段と、
第１および第２のライン部分からなる１主走査ラインの前記第１のライン部分における画像読み取りにおいて、前記光電変換手段から出力された４つのアナログ電気信号から３つ以下の所定数のアナログ電気信号を選択するとともに、前記第２のライン部分における画像読み取りにおいて、前記光電変換手段から出力された４つのアナログ電気信号から、前記選択された所定数のアナログ電気信号を除いた残りのアナログ電気信号を選択し、前記アナログ／デジタル変換手段へ出力する選択手段と
を有することを特徴とする画像読取装置。
【請求項１０】
前記選択手段は、前記第１のライン部分における画像読み取りにおいて、前記４色のうち比視感度が１番目に高い１色と、比視感度が３番目または４番目に高い１色とに係るアナログ電気信号を選択し、前記第２のライン部分における画像読み取りにおいて、前記４色のうち比視感度が２番目に高い１色と、比視感度が３番目および４番目に高い２色のうち未だ選択されていない１色とに係るアナログ電気信号を選択することを特徴とする請求項９記載の画像読取装置。
【請求項１１】
前記選択手段は、前記第１のライン部分における画像読み取りにおいて、前記４色のうち比視感度が１番目に高い１色に係るアナログ電気信号を選択し、前記第２のライン部分における画像読み取りにおいて、前記４色のうち比視感度が２番目、３番目、および４番目に高い３色に係るアナログ電気信号を選択することを特徴とする請求項９記載の画像読取装置。
【請求項１２】
入力した画像を表す光信号を、所定数を越える数の複数色に分解してそれぞれアナログ電気信号として出力可能な光電変換手段と、前記所定数の互いに異なるアナログ電気信号をそれぞれデジタル信号に同時に変換することが可能なアナログ／デジタル変換手段とを備えた画像読取装置に適用される画像読取方法において、
１主走査ラインの画像読み取りごとに前記光電変換手段から前記所定数以下のアナログ電気信号を選択するとともに、連続する複数の主走査ラインの画像読み取りにおいて異なるアナログ電気信号を選択する選択ステップと、
前記選択ステップによって選択されたアナログ電気信号を前記アナログ／デジタル変換手段へ出力させる出力ステップと
を有することを特徴とする画像読取方法。
【請求項１３】
前記光電変換手段に入力される光信号は、光を照射された原稿用紙からの反射光、または光を照射された原稿フィルムからの透過光であることを特徴とする請求項１２記載の画像読取方法。
【請求項１４】
前記光電変換手段は、入力した光信号を４色に分解してそれぞれアナログ電気信号として出力可能であり、
前記アナログ／デジタル変換手段は、３つのアナログ電気信号をそれぞれデジタル信号に同時に変換することが可能であることを特徴とする請求項１２記載の画像読取方法。
【請求項１５】
前記選択ステップでは、第１の主走査ラインの画像読み取りにおいて前記光電変換手段から第１色及び第２色のアナログ電気信号を選択し、前記第１の主走査ラインに隣接する第２の主走査ラインの画像読み取りにおいて前記光電変換手段から第３色及び第４色のアナログ電気信号を選択することを特徴とする請求項１４記載の画像読取方法。
【請求項１６】
前記選択ステップでは、第１の主走査ラインの画像読み取りにおいて前記光電変換手段から第１色のアナログ電気信号を選択し、前記第１の主走査ラインに隣接する第２の主走査ラインの画像読み取りにおいて前記光電変換手段から第２色、第３色及び第４色のアナログ電気信号を選択することを特徴とする請求項１４記載の画像読取方法。
【請求項１７】
前記光電変換手段に入力される光信号は、光を照射された原稿フィルムからの透過光であり、
前記光電変換手段は、前記４色にそれぞれ対応した４つの単色光電変換手段を含み、
前記４つの単色光電変換手段は各々、互いに異なる所定の蓄積時間に亘って入力光信号に対応する電荷を蓄積し、
前記選択ステップでは、第１の主走査ラインの画像読み取りにおいて、前記４つの単色光電変換手段のうち、前記所定の蓄積時間が第１番及び第２番に短い単色光電変換手段からのアナログ電気信号を選択し、前記第１の主走査ラインに隣接する第２の主走査ラインの画像読み取りにおいて、前記４つの単色光電変換手段のうち、前記選択された２つの単色光電変換手段以外の単色光電変換手段からのアナログ電気信号を選択することを特徴とする請求項１４記載の画像読取方法。
【請求項１８】
前記光電変換手段に入力される光信号は、光を照射された原稿フィルムからの透過光であり、
前記光電変換手段は、前記４色にそれぞれ対応した４つの単色光電変換手段を含み、
前記４つの単色光電変換手段は各々、互いに異なる所定の蓄積時間に亘って入力光信号に対応する電荷を蓄積し、
前記選択ステップでは、第１の主走査ラインの画像読み取りにおいて、前記４つの単色光電変換手段のうち、前記所定の蓄積時間が最短の単色光電変換手段からのアナログ電気信号を選択し、前記第１の主走査ラインに隣接する第２の主走査ラインの画像読み取りにおいて、前記４つの単色光電変換手段のうち、前記選択された単色光電変換手段以外の単色光電変換手段からのアナログ電気信号を選択することを特徴とする請求項１４記載の画像読取方法。
【請求項１９】
入力した画像を表す光信号を、所定数を越える数の複数色に分解してそれぞれアナログ電気信号として出力可能な光電変換手段と、前記所定数の互いに異なるアナログ電気信号をそれぞれデジタル信号に同時に変換することが可能なアナログ／デジタル変換手段とを備えた画像読取装置に適用される画像読取方法を、コンピュータに実行させるためのプログラムにおいて、
１主走査ラインの画像読み取りごとに前記光電変換手段から前記所定数以下のアナログ電気信号を選択するとともに、連続する複数の主走査ラインの画像読み取りにおいて異なるアナログ電気信号を選択する選択ステップと、
前記選択ステップによって選択されたアナログ電気信号を前記アナログ／デジタル変換手段へ出力させる出力ステップと
を有することを特徴とするプログラム。
【発明の詳細な説明】
【技術分野】
【０００１】
本発明は、画像読取装置、画像読取方法、及びプログラムに関し、特に、入力した光信号を、所定数を越える数の基本色に分解してそれぞれアナログ電気信号として出力可能な光電変換手段と、前記所定数の互いに異なるアナログ電気信号をそれぞれデジタル信号に同時に変換することが可能なアナログ／デジタル変換手段とを備えた画像読取装置、該画像読取装置に適用される画像読取方法、及び該画像読取方法をコンピュータに実行させるためのプログラムに関する。
【背景技術】
【０００２】
従来、原稿画像を多色画像として読み取るカラー画像読取装置においては、通常、画像を表わす光信号がＣＣＤセンサによって電気信号に変換される。このＣＣＤセンサは、一般に３つのセンサから構成され、各センサの表面に、赤色（Ｒ）、緑色（Ｇ）、青色（Ｂ）の色フィルタとなる皮膜がそれぞれ塗布されており、これらのセンサによって、各色に対応した電気信号がそれぞれ出力される。
【０００３】
カラー画像読取装置で読み取られた画像の色再現性は、光源の分光特性と色フィルタの分光透過特性とによって決定される。色フィルタの種類は、Ｒ，Ｇ，Ｂ以外にも印刷機等の出力装置に対応したＣ（シアン）、Ｍ（マゼンタ）、Ｙ（イエロー）の補色を用いたものや、デバイスに依存しない測色値Ｘ，Ｙ，Ｚを用いたＸＹＺ表色系に対応したものがあるが、これらはみな、カラー画像読取装置の色再現性を向上することを目的として設けられている。
【０００４】
一般にＸＹＺ表色系に用いられる色フィルタは、その分光特性の特徴から、多種の色フィルタを組み合わせた構成となるために、画像処理系が非常に複雑になる。
【０００５】
Ｒ，Ｇ，Ｂ３色系よりも色再現性を向上できる手法として、例えば特許文献１に示されるようなＲ，Ｇ，Ｂ，Ｙｅ（イエロー）の４色で画像の読み取りを行う方法や、特許文献２に示されるような、色を特定しないが多色で画像の読み取りを行う方法がある。色再現性は基本的に、画像を表現する基本色（チャネル）の数が増えるほど向上する可能性があるので、これらの方法は、色再現性向上のために有効であると言える。ただし、チャネルが多いと、それだけその後の画像処理系が複雑になるので、色再現性向上のために設定されるべきチャネル数は、４チャネルが実用的であると言える。
【０００６】
４チャネル（４基本色）で読み取られたアナログ画像データに対して、その後、シェーディング補正、マトリックス変換、ガンマ補正、および各種画像処理を、カラー画像読取装置内のデジタル回路ＩＣ（Integrated Circuit）やＰＣ（Personal Computer）上で行うために、アナログ信号からデジタル信号への変換が行われる。
【０００７】
最終的な画像データは、ターゲットとなる出力機器にもよるが、Ｒ，Ｇ，Ｂ３色系に変換されることが一般的であると言える。
【特許文献１】特開２００３−８７５８３号公報
【特許文献２】特開平１１−２４３４９２号公報
【発明の開示】
【発明が解決しようとする課題】
【０００８】
しかしながら、一般的なアナログ・デジタル変換（Ａ／Ｄ変換）に用いられるＩＣチップは、Ｒ，Ｇ，Ｂ３チャネル分のデータのＡ/Ｄ変換を行うタイプであり、このＩＣチップを用いて４チャネル分のデータのＡ／Ｄ変換を行おうとすると、３チャネル用ＩＣチップが２個必要となり、その分、コストや回路構成の増大を招くという問題があった。
【０００９】
また最近では、Ａ／Ｄ変換機能を内蔵した特定用途向け集積回路（ＡＳＩＣ）が多く出回っており、これらを用いて４チャネル分のデータのＡ／Ｄ変換を行うことが考えられるが、この場合、外部にＡ／Ｄ変換用ＩＣチップを設ける必要があり、同様に回路の増大を招く問題があった。
【００１０】
本発明はこのような問題点に鑑みてなされたものであって、３チャネル（３色）用のＡ／Ｄ変換回路の構成の増大を招くこと無く、４チャネル（４色）分の画像データの読み取りを行うことを可能にした画像読取装置、画像読取方法、及びプログラムを提供することを目的とする。
【課題を解決するための手段】
【００１１】
上記目的を達成するために、請求項１記載の発明によれば、入力した画像を表す光信号を、所定数を越える数の複数色に分解してそれぞれアナログ電気信号として出力可能な光電変換手段と、前記所定数の互いに異なるアナログ電気信号をそれぞれデジタル信号に同時に変換することが可能なアナログ／デジタル変換手段と、１主走査ラインの画像読み取りごとに前記光電変換手段から前記所定数以下のアナログ電気信号を選択するとともに、連続する複数の主走査ラインの画像読み取りにおいて異なるアナログ電気信号を選択し、前記アナログ／デジタル変換手段へ出力する選択手段とを有することを特徴とする画像読取装置が提供される。
【００１２】
また、請求項９記載の発明によれば、入力した画像を表す光信号を、４つの色に分解してそれぞれアナログ電気信号として出力可能な光電変換手段と、３つの互いに異なるアナログ電気信号をそれぞれデジタル信号に同時に変換することが可能なアナログ／デジタル変換手段と、第１および第２のライン部分からなる１主走査ラインの前記第１のライン部分における画像読み取りにおいて、前記光電変換手段から出力された４つのアナログ電気信号から３つ以下の所定数のアナログ電気信号を選択するとともに、前記第２のライン部分における画像読み取りにおいて、前記光電変換手段から出力された４つのアナログ電気信号から、前記選択された所定数のアナログ電気信号を除いた残りのアナログ電気信号を選択し、前記アナログ／デジタル変換手段へ出力する選択手段とを有することを特徴とする画像読取装置が提供される。
【００１３】
また、請求項１２記載の発明によれば、入力した画像を表す光信号を、所定数を越える数の複数色に分解してそれぞれアナログ電気信号として出力可能な光電変換手段と、前記所定数の互いに異なるアナログ電気信号をそれぞれデジタル信号に同時に変換することが可能なアナログ／デジタル変換手段とを備えた画像読取装置に適用される画像読取方法において、１主走査ラインの画像読み取りごとに前記光電変換手段から前記所定数以下のアナログ電気信号を選択するとともに、連続する複数の主走査ラインの画像読み取りにおいて異なるアナログ電気信号を選択する選択ステップと、前記選択ステップによって選択されたアナログ電気信号を前記アナログ／デジタル変換手段へ出力させる出力ステップとを有することを特徴とする画像読取方法が提供される。
【００１４】
さらに、上記画像読取方法をコンピュータに実行させるためのプログラムが提供される。
【発明の効果】
【００１５】
本発明によれば、入力した画像を表す光信号を、所定数を越える数の複数色に分解してそれぞれアナログ電気信号として出力可能な光電変換手段と、前記所定数の互いに異なるアナログ電気信号をそれぞれデジタル信号に同時に変換することが可能なアナログ／デジタル変換手段とを備えた画像読取装置において、１主走査ラインの画像読み取りごとに前記光電変換手段から前記所定数以下のアナログ電気信号を選択するとともに、連続する複数の主走査ラインの画像読み取りにおいて異なるアナログ電気信号を選択し、この選択されたアナログ電気信号を前記アナログ／デジタル変換手段へ出力させる。
【００１６】
これにより、所定数のチャネル（色）用のＡ／Ｄ変換回路の構成の増大を招くこと無く、所定数を越えるチャネル分の画像データの読み取りを行うことを可能になる。
【００１７】
例えば、４チャネルの画像信号読み取りを、普及タイプの３チャネル入力のＡ／Ｄ変換回路１個で実現することができるので、大幅なコストアップや回路構成の増大をせずに、４色画像読み取りを実現することが可能となる。
【発明を実施するための最良の形態】
【００１８】
以下、本発明を実施するための最良の形態について、図面を参照して説明する。
【００１９】
〔第１の実施の形態〕
図１は、本発明の第１の実施の形態に係る画像読取装置の概略構成を示す断面図である。
【００２０】
図１において、画像読取装置本体１０７の上部に、原稿を設置するための原稿台ガラス１０８があり、画像読取装置本体１０７の内部には光学系ユニット１０５がある。光学系ユニット１０５の内部には、光信号を電気信号に変換するための光電変換素子１０１、反射原稿からの反射光、または透過原稿からの透過光を収束するためのレンズ部１０２、反射光、または透過光を折り返すためのミラー１０３−１〜１０３−３、及び反射原稿を照明するための白色光の光源１０４が搭載されている。反射原稿の場合、光源１０４で照射された原稿からの反射光は、ミラー１０３−１〜１０３−３、レンズ部１０２を介して光電変換素子１０１に至るとともに、光学系ユニット１０５が、モータ１０６により矢印１１３方向（副走査方向）に移動し、これによって、原稿の画像読み取りが行われる。すなわち、光学系ユニット１０５の各部は、図１の奥行き方向に延びた構成となっており、この奥行き方向が主走査方向となって、副走査方向と関連して原稿の画像読み取りが行われる。
【００２１】
一方、透過原稿の場合、反射原稿用の白色光の光源１０４は消灯され、透過原稿照射装置本体１０９に搭載された透過原稿用の光源１１０が点灯され、透過原稿（１１１）を透過した光は、ミラー１０３−１〜１０３−３、レンズ部１０２を介して光電変換素子１０１に至るとともに、光学系ユニット１０５が、モータ１０６により矢印１１３方向に移動し、これによって、原稿の画像読み取りが行われる。１１２は、画像読取装置本体１０７に透過原稿照射装置本体１０９を設置するためのヒンジである。
【００２２】
図２は、第１の実施の形態における光電変換素子１０１の詳しい構成と、該光電変換素子１０１からの出力信号が入力されるスイッチ（ＳＷ）４０８およびＡ／Ｄ変換回路４０７とを示す図である。
【００２３】
第１の実施の形態における光電変換素子１０１では、４チャネル（４基本色、例えばＲ，Ｇ，Ｂ，Ｅ）に対応する光信号を画素ごとに電荷に変換する光電変換素子４０１ａ−４０１ｄが互いに近接して設けられ、ここで生成された画素ごとの電荷は、転送ゲート４０２ａ−４０２ｄを介して所定のタイミングで転送路４０３ａ−４０３ｄにそれぞれ転送される。この所定のタイミングは、転送ゲート４０２ａ−４０２ｄによって制御される。
【００２４】
一方、読み取りの必要の無い画像データの場合、光電変換素子４０１ａ−４０１ｄを中心に転送路４０３ａ−４０３ｄと反対側にそれぞれ位置するオーバーフロードレイン（ＯＦＤ）４０５ａ−４０５ｄに、光電変換素子４０１ａ−４０１ｄからの電荷を放出する。このオーバーフロードレイン４０５ａ−４０５ｄへの電荷の放出は、電子シャッタゲート４０４ａ−４０４ｄによってそれぞれ行われる。
【００２５】
転送路４０３ａ−４０３ｄに転送された各電荷は、アンプ部４０６ａ−４０６ｄで電圧信号にそれぞれ変換され、かつ適切なレベルに増幅される。
【００２６】
以上のような構成の光電変換素子１０１の出力端にはスイッチ（ＳＷ）４０８およびＡ／Ｄ変換回路４０７が接続される。Ａ／Ｄ変換回路４０７は、普及タイプの３チャネル用のＡ／Ｄ変換回路であり、３チャネル分のアナログ電気信号をデジタル信号に変換する。スイッチ（ＳＷ）４０８は、光電変換素子１０１のアンプ部４０６ａ−４０６ｄに接続され、アンプ部４０６ａ−４０６ｄから送られる４チャネル分のアナログ電気信号から、Ａ／Ｄ変換回路４０７へ送るべき最多３チャネル分のアナログ電気信号を選択するものである。
【００２７】
なお、転送ゲート４０２ａ−４０２ｄおよび電子シャッタゲート４０４ａ−４０４ｄ、並びにスイッチ（ＳＷ）４０８およびＡ／Ｄ変換回路４０７に対する動作制御は、図示しない制御装置によって行なわれる。この制御装置は、例えば中央演算装置（ＣＰＵ）、該ＣＰＵが実行するプログラムを記憶するＲＯＭ（Read Only Memory）、ＣＰＵが演算に使用するＲＡＭ（Random Access Memory）、入出力装置等から構成される。
【００２８】
図３は、Ａ／Ｄ変換回路４０７から出力された画像信号に対して画像処理を施す、図１に示す画像読取装置本体１０７に含まれる画像処理部３００の構成を示すブロック図である。
【００２９】
光電変換素子（ＣＣＤ）１０１で読み取られた画像データは、スイッチ（ＳＷ）４０８を介してＡ／Ｄ変換回路４０７において、アナログ信号形態からデジタル信号形態に変換される。Ａ／Ｄ変換回路４０７に入力される信号は、チャネルごとに別々に入力されるが、Ａ／Ｄ変換回路４０７において、対応画素の複数チャネルの信号が一組みになった画素ごとの信号配列に変換される。
【００３０】
なお、光電変換素子（ＣＣＤ）１０１における４チャネル分の光電変換素子４０１ａ−４０１ｄの相互の物理的間隔は、画素の大きさの数１０倍の長さに相当するので、光電変換素子４０１ａ−４０１ｄにおける物理的な読み取り位置の差を補正する必要がある。すなわち、ラインオフセット部３０３が、４チャネル分の光電変換素子４０１ａ−４０１ｄから得られた画像データをＲＡＭ３０４に一時保管し、その後、原稿の同じ位置から読み取られた４チャネル分の画像データを、タイミングをずらして読み出して、この差の補正を行う。
【００３１】
ラインオフセット部３０３から出力された画像データに対して、シェーディング補正回路３０５において、暗部側及び明部側の均一性を上げるシェーディング補正が行われる。そして、マトリックス変換回路３０６にて、画像の色味の補正が行われ、ＬＵＴ変換回路３０７において、モニタ等に合わせるための輝度補正が行われる。さらに、インターフェイス（Ｉ／Ｆ）変換回路３０８において、指定されたインターフェイス方式への信号形態の変換が行われ、外部のＰＣ（Personal Computer）３５０への画像データの転送が行われる。
【００３２】
つぎに、光電変換素子（ＣＣＤ）１０１で得ることのできる４チャネル分の画像信号を、３チャネル分の処理能力しかないＡ／Ｄ変換回路４０７においてＡ／Ｄ変換処理させるための方法を説明する。
【００３３】
図４は、光電変換素子（ＣＣＤ）１０１で得ることのできる４チャネル（Ｒ，Ｇ，Ｂ，Ｅ）分の画像データから、同時に２チャネル分を２度に亘って読み取ってＡ／Ｄ変換回路４０７に送る場合に、４つの主走査ライン（ｎ番目から（ｎ＋３）番目まで）で行われる画像信号の読み取りの様子を示す図である。
【００３４】
図４において横方向に４つのチャネル（空間軸）を示し、縦方向に４つの主走査ライン（時間軸）を示し、実線は画像信号を読み取る部分、点線は画像信号を読み取らない部分を意味する。
【００３５】
例えば、ｎ番目の主走査ラインに沿った画像読み込みでは、Ｒ，Ｇの２チャネル分の画像を読み取り、Ｂ，Ｅチャネルの画像は読まない。すなわち、光電変換素子（ＣＣＤ）１０１におけるＢ，Ｅチャネルに対応する電子シャッタゲートを開いて、対応の光電変換素子から電荷を対応のオーバーフロードレインに放出し、一方、光電変換素子（ＣＣＤ）１０１におけるＲ，Ｇチャネルに対応する転送ゲートを閉じて、対応の光電変換素子に電荷を蓄積する。そして所定の蓄積時間の経過後に、Ｒ，Ｇチャネルに対応する転送ゲートを開いて電荷を対応の転送路に転送するとともに、スイッチ（ＳＷ）４０８が、Ｒ，Ｇチャネルの画像信号を選択して、Ａ／Ｄ変換回路４０７へ送るようにする。
【００３６】
次に（ｎ＋１）番目の主走査ラインに沿った画像読み込みでは、Ｂ，Ｅの２チャネル分の画像を読み取り、Ｒ，Ｇチャネルの画像は読まない。このように隣接する２つの主走査ライン分上の画像読み取りを行い、これを１主走査ライン分の画像読み取りと見做す。この見做された１主走査ライン分の画像読み取りを「１ＨＳｙｎｃ」とする。
【００３７】
これを繰り返すと、Ａ／Ｄ変換回路４０７には、常時２チャネル分の信号が入力されることになり、３チャネル用のＡ／Ｄ変換回路４０７にとってその処理能力の範囲を超えることがない。
【００３８】
図５は、光電変換素子（ＣＣＤ）１０１における転送ゲート４０２ａ−４０２ｄおよび電子シャッタゲート４０４ａ−４０４ｄの動作を示すタイミングチャートである。
【００３９】
図５における（Ａ）は、転送ゲート４０２ａ−４０２ｄに入力される転送ゲート信号であり、転送ゲート４０２ａ−４０２ｄには同一の転送ゲート信号が入力され、高レベル入力時には、各転送ゲートが開き、光電変換素子４０１ａ−４０１ｄに蓄積された電荷が転送路４０３ａ−４０３ｄにそれぞれ転送される。
【００４０】
電荷の転送が行われた直後（ｔ１）に、Ｒ，Ｇチャネル対応の電子シャッタゲートに高レベル信号（ＳｈＲ，ＳｈＧ、図５（Ｂ，Ｃ））が入力され、これらの電子シャッタゲートが閉じ、Ｒ，Ｇチャネル対応の光電変換素子から対応のオーバーフロードレインへ電荷が放出されないようになる。同時に、Ｂ，Ｅチャネル対応の電子シャッタゲートに低レベル信号（ＳｈＢ，ＳｈＥ、図５（Ｄ，Ｅ））が入力され、これらの電子シャッタゲートが開き、Ｂ，Ｅチャネル対応の光電変換素子から対応のオーバーフロードレインへ電荷が放出され、これらに電荷が蓄積されない。
【００４１】
タイミングｔ１から所定の蓄積時間が経過した後のタイミングｔ２で、Ｒ，Ｇチャネル対応の光電変換素子に対して電荷の蓄積が完了する。このとき、転送ゲート４０２ａ−４０２ｄに入力される転送ゲート信号が高レベルとなって、光電変換素子４０１ａ−４０１ｄから転送路４０３ａ−４０３ｄへ電荷の転送がそれぞれ行われる。搬送路４０３ａ−４０３ｄへの電荷の転送は、全てのチャネルで行われるが、Ｂ，Ｅチャネルでは光電変換素子に電荷が溜まっていないので、電荷の転送は発生しない。
【００４２】
電荷の転送が完了したタイミングｔ３では、Ｂ，Ｅチャネル対応の電子シャッタゲートに高レベル信号（ＳｈＢ，ＳｈＥ、図５（Ｄ，Ｅ））が入力され、これらの電子シャッタゲートが閉じ、Ｂ，Ｅチャネル対応の光電変換素子から対応のオーバーフロードレインへ電荷が放出されないようになる。同時に、Ｒ，Ｇチャネル対応の電子シャッタゲートに低レベル信号（ＳｈＲ，ＳｈＧ、図５（Ｂ，Ｃ））が入力され、これらの電子シャッタゲートが開き、Ｒ，Ｇチャネル対応の光電変換素子から対応のオーバーフロードレインへ電荷が放出され、これらに電荷が蓄積されない。
【００４３】
タイミングｔ３から所定の蓄積時間が経過した後のタイミングｔ４で、Ｂ，Ｅチャネル対応の光電変換素子に対して電荷の蓄積が完了する。このとき、転送ゲート４０２ａ−４０２ｄに入力される転送ゲート信号が高レベルとなって、光電変換素子４０１ａ−４０１ｄから転送路４０３ａ−４０３ｄへ電荷の転送がそれぞれ行われる。搬送路４０３ａ−４０３ｄへの電荷の転送は、全てのチャネルで行われるが、Ｒ，Ｇチャネルでは光電変換素子に電荷が溜まっていないので、電荷の転送は発生しない。
【００４４】
以上は、光電変換素子（ＣＣＤ）１０１で得ることのできる４チャネル分の画像データから、同時に２チャネル分を２度に亘って読み取ってＡ／Ｄ変換回路４０７に送る場合であったが、４チャネル分の画像データから、１チャネル分と３チャネル分とを交互に読み取ってＡ／Ｄ変換回路４０７に送るようにしてもよい。これを、図６を参照して説明する。
【００４５】
図６は、光電変換素子（ＣＣＤ）１０１で得ることのできる４チャネル（Ｒ，Ｇ，Ｂ，Ｅ）分の画像データから、１チャネル分と３チャネル分とを交互に読み取ってＡ／Ｄ変換回路４０７に送る場合に、４つの主走査ライン（ｎ番目から（ｎ＋３）番目まで）で行われる画像信号の読み取りの様子を示す図である。
【００４６】
１チャネル分と３チャネル分との画像信号を交互に読み取る方式では、例えばｎ番目の主走査ラインに沿った画像読み込みでは、Ｒの１チャネル分の画像を読み取り、Ｇ，Ｂ，Ｅチャネルの画像は読まない。次に（ｎ＋１）番目の主走査ラインに沿った画像読み込みでは、Ｇ，Ｂ，Ｅの３チャネル分の画像を読み取り、Ｒチャネルの画像は読まない。
【００４７】
このように隣接する２つの主走査ライン分上の画像読み取りを行い、これを１主走査ライン分の画像読み取りと見做す。
【００４８】
これを繰り返すと、Ａ／Ｄ変換回路４０７には、１チャネル分と３チャネル分との信号が常時交互に入力されることになり、３チャネル用のＡ／Ｄ変換回路４０７にとってその処理能力の範囲を超えることがない。
【００４９】
なお、図５に示す光電変換素子（ＣＣＤ）１０１の転送ゲート４０２ａ−４０２ｄおよび電子シャッタゲート４０４ａ−４０４ｄにそれぞれ入力される高レベル／低レベル信号による各ゲートの開閉動作は一例であって、これと逆方向の開閉動作もあり得る。また、光電変換素子（ＣＣＤ）１０１に電子シャッタゲートが存在しない場合であっても、不必要なデータを使用しないような然るべき方法を用いることにより同様の制御を行うことができる。
【００５０】
さらに、光電変換素子（ＣＣＤ）１０１が読み取りできるチャンネル数（基本色）は、４チャンネルよりも多くてもよく、１つの主走査ラインにおいて最大３チャネル分の画像信号をＡ／Ｄ変換回路へ送るようにすれば、３チャネル用のＡ／Ｄ変換回路４０７にとってその処理能力の範囲を超えることがない。
【００５１】
〔第２の実施の形態〕
次に、本発明の第２の実施の形態を説明する。
【００５２】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００５３】
第２の実施の形態では、透過原稿（例えば、フィルム原稿）の読み取りを行う場合に、フィルムのチャネル（分離基本色）ごとの透過率に応じて、光電変換素子４０１ａ−４０１ｄに対して電荷をそれぞれ蓄積する際の所定の蓄積時間を変えるようにする。
【００５４】
まず、電荷蓄積のための所定の蓄積時間をチャネルごとに変える必要性について説明する。
【００５５】
例えば３チャネルの光電変換素子（ＣＣＤ）を用いてネガフィルム原稿の読み取りを行う場合を例に挙げて説明すると、ネガフィルムは、一般的に長波長側のＲ色の透過率が非常に高く、逆に短波長側のＢ色の透過率が非常に低くなるという特性を持つ。
【００５６】
図７は、３チャネルの光電変換素子（ＣＣＤ）を用いて、標準白色板を撮影したサンプルフィルムを等しい蓄積時間で読み取ったときの各チャネルの光電変換素子からそれぞれ出力される画像信号の出力レベルの発生頻度の分布を示す図である。
【００５７】
この分布特性から分かるように、透過率がほぼＲ：Ｇ：Ｂ＝４：２：１になるので、こうした透過率特性の偏りを補正するためには、各チャネルの光電変換素子での電荷蓄積のための所定の蓄積時間は、Ｒ：Ｇ：Ｂ＝１：２：４に設定する必要がある。このように各チャネルの光電変換素子での所定の蓄積時間を設定した場合においては、各チャネルの光電変換素子の電子シャッタゲートを、図８に示すように開閉することになる。
【００５８】
図８は、３チャネルの光電変換素子での所定の蓄積時間をＲ：Ｇ：Ｂ＝１：２：４に設定した場合における各チャネルの光電変換素子の電子シャッタゲートの開閉タイミングを示すタイミングチャートである。
【００５９】
この図から分かるように、１ＨＳｙｎｃの時間（単位読み取り時間）は、各チャネルの所定の蓄積時間のうちの最長のＢチャネル（図８（Ｄ））に依存することになる。
【００６０】
このため、第１の実施の形態と同様に、４チャネルの光電変換素子と３チャネル用Ａ／Ｄ変換回路とを使用して、４チャネル（Ｒ，Ｇ，Ｂ，Ｅ）の光電変換素子のうちの毎回２チャネル分だけを読み取り対象とする場合に、２主走査ライン分の読み取りで１ＨＳｙｎｃになるため、４チャネル（Ｒ，Ｇ，Ｂ，Ｅ）のうちいずれを組み合わせるかによって、読み取り時間が異なってくる。そこで第２の実施の形態では、チャネルごとの読み取り時間を下記に説明するように設定する。
【００６１】
図９は、第２の実施の形態において、４チャネルの光電変換素子での所定の蓄積時間を、Ｒ：Ｇ：Ｂ：Ｅ＝１．０：１．３：２．０：２．５に設定した場合において、毎回２チャネル分だけを読み取り対象とする場合における各チャネルの光電変換素子の電子シャッタゲートの開閉タイミングを示すタイミングチャートである。
【００６２】
毎回２チャネル分だけを読み取り対象とする場合、読み取り時間を最短にするために、「蓄積時間が最長のチャネル」と「蓄積時間が２番目に長いチャネル」とを組み合わせ、かつ「蓄積時間が３番目に長いチャネル」と「蓄積時間が最短のチャネル」とを組み合わせるというルールに基づくようにする。すなわち図９に示すように、前半はＲ，Ｇチャネル（図９（Ｂ，Ｃ））で画像読み取りを行い（読み取り時間１．３）、後半はＢ，Ｅチャネル（図９（Ｄ，Ｅ））で画像読み取りを行う（読み取り時間２．５）と、合計の読み取り時間は３．８となり、これが、合計読み取り時間を最短にするチャネルの組み合わせとなる。
【００６３】
図１０は、第２の実施の形態において、４チャネルの光電変換素子での所定の蓄積時間を、Ｒ：Ｇ：Ｂ：Ｅ＝１．０：１．３：２．０：２．５に設定した場合において、交互に１チャネル分と３チャネル分とを読み取り対象とする場合における各チャネルの光電変換素子の電子シャッタゲートの開閉タイミングを示すタイミングチャートである。
【００６４】
交互に１チャネル分と３チャネル分とを読み取り対象とする場合、読み取り時間を最短にするために、「蓄積時間が最短のチャネル」を他のチャネルと組み合わせず、「蓄積時間が２〜４番目に長いチャネル」を組み合わせるというルールに基づくようにする。すなわち図１０に示すように、前半はＲ（図１０（Ｂ））で画像読み取りを行い（読み取り時間１．０）、後半はＧ，Ｂ，Ｅチャネル（図９（Ｃ，Ｄ，Ｅ））で画像読み取りを行う（読み取り時間２．５）と、合計の読み取り時間は３．５となり、これが、合計読み取り時間を最短にするチャネルの組み合わせとなる。
【００６５】
なお、上記の毎回２チャネル分だけを読み取り対象とする場合と、交互に１チャネル分と３チャネル分とを読み取り対象とする場合とを比較すると、後者の読み取り時間が、前者よりも短くなるが、一方で、前者における処理対象データ量の最大値が、後者に比べて少ないので、例えば前者におけるＡ／Ｄ変換回路での処理時間が、後者におけるＡ／Ｄ変換回路での処理時間に比べて短くできるという利点もある。
【００６６】
〔第３の実施の形態〕
次に、本発明の第３の実施の形態を説明する。
【００６７】
第３の実施の形態の構成は、基本的に第１の実施の形態の構成と同じであるので、第３の実施の形態の説明においては、第１の実施の形態の構成と同一部分には同一の参照符号を付して、第１の実施の形態の説明を流用し、異なる部分だけを説明する。
【００６８】
ところで、光に対する目の感度を視感度と言い、視感度は波長によって異なる。一般に、人間の目の視感度は、波長５５５［ｎｍ］で最も高くなる。この波長５５５［ｎｍ］での視感度を基準にして相対的に表された視感度を比視感度と言う。
【００６９】
図１１は、人間の目の比視感度の周波数特性を示す図である。
【００７０】
これによると、人間の目の比視感度は、５５０ｎｍ付近の波長域において高く、この高波長域を挟んだ両側の波長域においては、高波長域から離れるにつれて低下する。
【００７１】
これは、人間の目が比視感度の高い波長域の色の変化に対して敏感であるということであり、したがって、比視感度の低い波長域に係るチャネルを介して得た画像と、比視感度の高い波長域に係るチャネルを介して得た画像とに、同程度の画像のぼかしを加えて比べた場合に、比視感度の高い波長域に係るチャネルを介して得た画像のほうが、よりぼけた画像と認識されることになる。
【００７２】
図１２は、ＣＣＤセンサに用いられるＲ，Ｇ，Ｂ，Ｅの４色カラーフィルタの分光感度特性の一例を示す図である。横軸は波長（ｎｍ）を、縦軸は相対感度（％）を示す。
【００７３】
Ｒ，Ｇ，Ｂ，Ｅの各色の波長ピークは概ね、Ｒ＝６３０ｎｍ，Ｇ＝５３０ｎｍ，Ｂ＝４７０ｎｍ，Ｅ＝５００ｎｍであり、図１１に示す比視感度周波数特性と照らし合わせると、人間の目は、ＧチャネルやＥチャネルから得た画像に対しては、より細部まで読み取ることができ、該画像から多くの情報を取り入れることができるということなる。
【００７４】
このことを言い換えると、４色フィルタのうち、比視感度周波数特性の高いチャネルの画像読み取り精度を高くすること、すなわち情報量を多くすることが、４色が合成されたカラー画像において、画像の解像度を高くすることになる。
【００７５】
なお、４色の画像読み取りを行った場合においても、画像処理やディスプレイ、プリンタ等の出力機器での処理はＲ，Ｇ，Ｂ３チャネル分で行うので、ＲＧＥＢデータからＲＧＢデータへの変換を行う必要がある。通常、これらの処理はＩＣチップを用いたり、ＰＣで行ったりする。このＲＧＥＢデータからＲＧＢデータへの変換は、図１２に示す分光感度特性データを参照して、所定の変換式を用いて行う。具体的な変換方法については、例えば特開２００３−２８４０８４号公報などに記載されている。
【００７６】
ところで、図１１に示す人の目の比視感度特性と、図１２に示す分光感度特性データとを考察すると、４色が合成されたカラー画像において、人の目にとって画像の解像度を高くするには、波長域５００ｎｍ〜５４０ｎｍ付近に高感度を持つＧチャネル、Ｅチャネルの出力が占める比率を大きくし、Ｂチャネル出力の比率を若干加味し、Ｒチャネルの出力は余り反映しないようにすることが効果的であると言える。
【００７７】
そこで、第３の実施の形態では、４チャネル分の画像読み取りを３チャネル用のＡ／Ｄ変換回路を搭載したＩＣチップ１個で行う場合に、１ライン分の画像読み取りを前半と後半に分けて行う。そして、１ラインの前半では、ＲチャネルおよびＧチャネルの画像読み取りを行い、１ラインの後半では、ＥチャネルおよびＢチャネルの画像読み取りを行う。
【００７８】
図１３は、第３の実施の形態において、３チャネル用のＡ／Ｄ変換回路を用いた４チャネル分の画像読み取りを行う場合の時分割読み取り方法を示す図である。横軸が空間、縦軸が時間を表す。なお、（Ａ）は好ましい例を、（Ｂ）は好ましくない例を表している。
【００７９】
１ライン中の前半と後半とで２チャネルずつ画像読み取りを行っており、（Ａ）は前半にＲ，Ｇチャネル、後半にＥ，Ｂチャネル、（Ｂ）は前半にＲ，Ｂチャネル、後半にＧ，Ｅチャネルの画像読み取りを行っている。
【００８０】
図１４は、図１３（Ａ）に示す画像読み取りを行った場合の原稿上の読み取り位置と画像データとの関係を示す図である。図１４（Ａ）は原稿の平面を、図１４（Ｂ）は原稿から読み取られた画像データを示す。
【００８１】
図１４（Ａ）に示す原稿の平面において、副走査方向（図１４に矢印で示す上下方向）に沿って、ライン＃１〜＃５が並び、各ラインが前半と後半とに分割される（例えば、ライン＃１では前半（１）、後半（２）、ライン＃２では前半（３）、後半（４）、・・・）。画像読み取りは、ライン＃１の前半（１）、後半（２）、ライン＃２の前半（３）、後半（４）、・・・という順で行われる。
【００８２】
このように、１ライン中を前半と後半とに分けて画像読み取りを行っており、前半と後半とを合わせて１ライン分となる。例えばＧチャネルでは、１ラインの前半で画像読み取りが行われ、各ラインの前半（１），（３），（５），（７），（９）で画像データＧ１〜Ｇ５が出力される。また例えばＥチャネルでは、１ラインの後半で画像読み取りが行われ、各ラインの後半（２），（４），（６），（８），（１０）で画像データＥ１〜Ｅ５が出力される。
【００８３】
次に画像読み取り精度について、図１４（Ｂ）を参照して説明する。
【００８４】
図１４（Ｂ）は、各ラインの前半および後半で各チャネルから出力される画像データを表しており、特に、比視感度の高いＧチャネルおよびＥチャネルから出力される画像データを中央側に、比視感度の低いＲチャネルおよびＢチャネルから出力される画像データを左右の両端側に配置している。
【００８５】
各チャネルから出力される各画像データは、１ラインの前半または後半における画像データであって、いずれの画像データも１ライン全部で読み取られた画像データではない。しかし、前述したように、比視感度の高いＧチャネルおよびＥチャネルから出力される画像データは、比視感度の低いＲチャネルおよびＢチャネルから出力される画像データよりも、人の目にとっては多くの情報量を提供する。そのため、１ラインの前半において、比視感度の高いＧチャネルおよびＥチャネルのうちの一方のチャネル（Ｇチャネル）から画像データが提供され、かつ１ラインの後半において、ＧチャネルおよびＥチャネルのうちの他方のチャネル（Ｅチャネル）から画像データが提供されると、結果的に、人の目にとって多くの情報量が提供されたことになる。
【００８６】
これとは逆に、１ラインの前半または後半において、比視感度の高いＧチャネルおよびＥチャネルの両チャネルから同時に画像データが提供されると、人の目にとって多くの情報量が提供されないことなる。これを、図１５を参照して説明する。
【００８７】
図１５は、図１３（Ｂ）に示す画像読み取りを行った場合の原稿上の読み取り位置と画像データとの関係を示す図である。
【００８８】
図１５（Ａ）に示す例では、Ｇチャネルで、１ラインの後半で画像読み取りが行われ、各ラインの後半（２），（４），（６），（８），（１０）で画像データＧ１〜Ｇ５が出力される。またＥチャネルでも、１ラインの後半で画像読み取りが行われ、各ラインの後半（２），（４），（６），（８），（１０）で画像データＥ１〜Ｅ５が出力される。
【００８９】
次に画像読み取り精度について、図１５（Ｂ）を参照して説明する。
【００９０】
ここでは、１ラインの前半において、比視感度の高いＧチャネルおよびＥチャネルから画像データが提供されず、１ラインの後半において、ＧチャネルおよびＥチャネルの両方から同時に画像データが提供される。そのため、１ラインの前半において、比視感度の低いＲチャネルおよびＢチャネルから画像データが出力されていても、比視感度の高いＧチャネルおよびＥチャネルから画像データが提供されないため、前半、後半を合わせた１ライン全体では、人の目にとって多くの情報量が提供されないことになる。
【００９１】
以上のように、第３の実施の形態では、４チャネル分の画像読み取りを３チャネル用のＡ／Ｄ変換回路のＩＣチップ１個で行う場合に、１ライン分の画像読み取りを前半と後半に分けて行う。こうした画像読み取り方法では各チャネルで原稿の読み取りを行っていない部分が発生するので、読み取り精度が落ちてしまうが、第３の実施の形態では、人の目の比視感度の高い領域に係る２つのチャネルを１ラインの前半と後半とに分けて画像読み取りを行うようにする。これにより、人の目にとって、より解像度が高く、読み取り精度の高い画像読み取りを実現できる。
【００９２】
なお、３チャネル用のＡ／Ｄ変換回路を用いた４チャネル分の画像読み取りを行う場合の時分割読み取り方法として、図１３（Ａ）に示す方法ではなく、図１６に示す方法であってもよい。
【００９３】
図１６は、第３の実施の形態において、３チャネル用のＡ／Ｄ変換回路を用いた４チャネル分の画像読み取りを行う場合の他の時分割読み取り方法を示す図である。横軸が空間、縦軸が時間を表す。
【００９４】
図１６に示す例では、１ライン中の前半で１チャネル分の画像読み取りを行い、１ライン中の後半で３チャネル分の画像読み取りを行う。具体的には、前半に、比視感度が１番の高いＧチャネルの画像読み取りを行い、後半に、残りのＲ，Ｅ，Ｂチャネルの画像読み取りを行う。
【００９５】
このように、比視感度の高いＧチャネルとＥチャネルとが、１ラインの前半と後半とに分けられていれば、前述と同様に、４色が合成されたカラー画像において、人の目にとって画像の解像度を高くすることができる。
【００９６】
〔他の実施の形態〕
なお、本発明の目的は、前述した各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００９７】
この場合、記憶媒体から読み出されたプログラムコード自体が本発明の新規な機能を実現することになり、そのプログラムコードを記憶した記憶媒体およびプログラムは本発明を構成することになる。
【００９８】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。或いは、上記プログラムは、インターネット、商用ネットワーク、若しくはローカルエリアネットワーク等に接続される他のコンピュータやデータベース等からダウンロードすることにより供給される。
【００９９】
また、コンピュータが読み出したプログラムコードを実行することにより、前述した各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０１００】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【図面の簡単な説明】
【０１０１】
【図１】本発明の第１の実施の形態に係る画像読取装置の概略構成を示す断面図である。
【図２】第１の実施の形態における光電変換素子の詳しい構成と、該光電変換素子からの出力信号が入力されるスイッチ（ＳＷ）およびＡ／Ｄ変換回路とを示す図である。
【図３】Ａ／Ｄ変換回路から出力された画像信号に対して画像処理を施す、図１に示す画像読取装置本体に含まれる画像処理部の構成を示すブロック図である。
【図４】光電変換素子で得ることのできる４チャネル分の画像データから、同時に２チャネル分を２度に亘って読み取ってＡ／Ｄ変換回路に送る場合に、４つの主走査ラインで行われる画像信号の読み取りの様子を示す図である。
【図５】光電変換素子における転送ゲートおよび電子シャッタゲートの動作を示すタイミングチャートである。
【図６】光電変換素子で得ることのできる４チャネル分の画像データから、１チャネル分と３チャネル分とを交互に読み取ってＡ／Ｄ変換回路に送る場合に、４つの主走査ラインで行われる画像信号の読み取りの様子を示す図である。
【図７】３チャネルの光電変換素子を用いて、標準白色板を撮影したサンプルフィルムを等しい蓄積時間で読み取ったときの各チャネルの光電変換素子からそれぞれ出力される画像信号の出力レベルの発生頻度の分布を示す図である。
【図８】３チャネルの光電変換素子での所定の蓄積時間をＲ：Ｇ：Ｂ＝１：２：４に設定した場合における各チャネルの光電変換素子の電子シャッタゲートの開閉タイミングを示すタイミングチャートである。
【図９】第２の実施の形態において、４チャネルの光電変換素子での所定の蓄積時間を、Ｒ：Ｇ：Ｂ：Ｅ＝１．０：１．３：２．０：２．５に設定した場合において、毎回２チャネル分だけを読み取り対象とする場合における各チャネルの光電変換素子の電子シャッタゲートの開閉タイミングを示すタイミングチャートである。
【図１０】第２の実施の形態において、４チャネルの光電変換素子での所定の蓄積時間を、Ｒ：Ｇ：Ｂ：Ｅ＝１．０：１．３：２．０：２．５に設定した場合において、交互に１チャネル分と３チャネル分とを読み取り対象とする場合における各チャネルの光電変換素子の電子シャッタゲートの開閉タイミングを示すタイミングチャートである。
【図１１】人間の目の比視感度の周波数特性を示す図である。
【図１２】ＣＣＤセンサに用いられるＲ，Ｇ，Ｂ，Ｅの４色カラーフィルタの分光感度特性の一例を示す図である。
【図１３】第３の実施の形態において、３チャネル用のＡ／Ｄ変換回路を用いた４チャネル分の画像読み取りを行う場合の時分割読み取り方法を示す図である。
【図１４】図１３（Ａ）に示す画像読み取りを行った場合の原稿上の読み取り位置と画像データとの関係を示す図である。
【図１５】図１３（Ｂ）に示す画像読み取りを行った場合の原稿上の読み取り位置と画像データとの関係を示す図である。
【図１６】第３の実施の形態において、３チャネル用のＡ／Ｄ変換回路を用いた４チャネル分の画像読み取りを行う場合の他の時分割読み取り方法を示す図である。
【符号の説明】
【０１０２】
１０１  光電変換素子（光電変換手段）
１０５  光学系ユニット
１０７  画像読取装置本体
４０１ａ−４０１ｄ  光電変換素子（光電変換手段）
４０２ａ−４０２ｄ  転送ゲート
４０３ａ−４０３ｄ  転送路
４０４ａ−４０４ｄ  電子シャッタゲート
４０５ａ−５０５ｄ  オーバーフロードレイン（ＯＦＤ）
４０６ａ−４０６ｄ  アンプ部
４０７  Ａ／Ｄ変換回路（アナログ／デジタル変換手段、選択手段）
４０８  スイッチ(ＳＷ、選択手段)
【図１】
2006067554.tif 000003
【図２】
2006067554.tif 000004
【図３】
2006067554.tif 000005
【図４】
2006067554.tif 000006
【図５】
2006067554.tif 000007
【図６】
2006067554.tif 000008
【図７】
2006067554.tif 000009
【図８】
2006067554.tif 000010
【図９】
2006067554.tif 000011
【図１０】
2006067554.tif 000012
【図１１】
2006067554.tif 000013
【図１２】
2006067554.tif 000014
【図１３】
2006067554.tif 000015
【図１４】
2006067554.tif 000016
【図１５】
2006067554.tif 000017
【図１６】
2006067554.tif 000018